(57)【要約】【課題】  従来の撮影装置では、撮影した画像データをフォルダ分けして格納する設定作業を、その都度毎回行わなければならず、撮影した画像データをフォルダ分けして格納する際の利便性に欠けていた。【解決手段】  撮影装置が一日の範囲内で最初に起動されたと起動時期判定手段によってＳ５で判定されると、フォルダ作成手段によってＳ９で記録部２１に新たなフォルダが作成され、記録制御手段によってＳ１１でこのフォルダに画像データが記録される。このため、撮影した画像データを日付けごとにフォルダ分けして記録する際には、従来のように、ユーザがフォルダ切り換えメニュー画面を表示させ、その画面において画像データを記録する記録先のフォルダを設定するという設定作業を毎回行わずに済む。この結果、撮影した画像データを日付けごとにフォルダ分けして記録する際の利便性は向上する。【選択図】  図２
2010021796.tif 000002
【特許請求の範囲】
【請求項１】
撮影装置が起動されると起動された時期が所定の時期範囲内で最初のものであるか否かを判定する起動時期判定手段と、
この起動時期判定手段によって起動時期が所定の時期範囲内で最初のものであると判定されると、撮像素子によって撮影した画像の画像データを記録する新たなフォルダを記憶手段に作成するフォルダ作成手段と、
このフォルダ作成手段によって新たなフォルダが作成されると、前記画像データを新たなフォルダに記録させる記録制御手段とを備えたことを特徴とする撮影装置。
【請求項２】
請求項１に記載の撮影装置において、
前記起動時期判定手段によって起動時期が所定の時期範囲内で最初のものであると判定されると、前記フォルダ作成手段に新たなフォルダを作成させるか否かをユーザに選択させるフォルダ作成選択手段を備えていることを特徴とする撮影装置。
【請求項３】
請求項１または請求項２に記載の撮影装置において、
前記フォルダ作成手段によって作成されるフォルダに記録される前記画像データに対して、前記フォルダ作成手段によって作成されたフォルダのフォルダ名を含むファイル名を付与するファイル名付与手段を備えたことを特徴とする撮影装置。
【請求項４】
請求項１または請求項２に記載の撮影装置において、
前記フォルダ作成手段によって作成されるフォルダにユーザが指定するフォルダ名を付与するフォルダ名付与手段と、
このフォルダ名付与手段によってフォルダ名が付与されたフォルダに記録される前記画像データに対して、前記フォルダ名付与手段によって付与されたフォルダ名を含むファイル名を付与するファイル名付与手段とを備えたことを特徴とする撮影装置。
【発明の詳細な説明】
【技術分野】
【０００１】
本発明は、記憶手段に作成されたフォルダに画像データを記録させる記録制御手段を備えた撮影装置に関するものである。
【背景技術】
【０００２】
従来、このような撮影装置としては、例えば、特許文献１に開示された電子カメラがある。この電子カメラでは、１０個のフォルダが予め仮想的に用意されている。ユーザは、液晶モニタにフォルダ切り換えメニュー画面を表示させ、電子カメラの背面に備えられた上下カーソルボタンを操作してフォルダを切り換えることにより、仮想的に用意された１０個のフォルダの中から所望のフォルダを選択する。そして、メニュー／実行ボタンを操作して所望のフォルダを確定する。電子カメラは、実際に撮影した画像データをユーザが確定したフォルダに格納する際に、実質的なフォルダの作成を行い、作成したフォルダに画像データを格納する。
【特許文献１】特開２００１−１６９２２２号公報  段落［００３３］，［００３４］，［００７３］，［００７４］
【発明の開示】
【発明が解決しようとする課題】
【０００３】
しかしながら、上記従来の電子カメラは、撮影した画像データをフォルダ分けして格納するには、ユーザがフォルダ切り換えメニュー画面を液晶モニタに表示させ、予め仮想的に用意された１０個のフォルダの中から所望のフォルダを選択して確定するという設定作業を、その都度毎回行わなければならなかった。このため、上記従来の電子カメラは、撮影した画像データをフォルダ分けして格納する際の利便性に欠けていた。
【課題を解決するための手段】
【０００４】
本発明はこのような課題を解決するためになされたもので、
撮影装置が起動されると起動された時期が所定の時期範囲内で最初のものであるか否かを判定する起動時期判定手段と、
この起動時期判定手段によって起動時期が所定の時期範囲内で最初のものであると判定されると、撮像素子によって撮影した画像の画像データを記録する新たなフォルダを記憶手段に作成するフォルダ作成手段と、
このフォルダ作成手段によって新たなフォルダが作成されると、画像データを新たなフォルダに記録させる記録制御手段とを備えて撮影装置を構成した。
【０００５】
この構成によれば、撮影装置が所定の時期範囲内で最初に起動されたと起動時期判定手段によって判定されると、フォルダ作成手段によって記憶手段に新たなフォルダが作成され、記録制御手段によってこのフォルダに画像データが記録される。このため、撮影した画像データを所定の時期範囲ごとにフォルダ分けして記録する際には、従来のように、ユーザがフォルダ切り換えメニュー画面を表示させ、その画面において画像データを記録する記録先のフォルダを設定するという設定作業を毎回行わずに済む。この結果、撮影した画像データを所定の時期範囲ごとにフォルダ分けして記録する際の利便性は向上する。
【０００６】
また、本発明は、起動時期判定手段によって起動時期が所定の時期範囲内で最初のものであると判定されると、フォルダ作成手段に新たなフォルダを作成させるか否かをユーザに選択させるフォルダ作成選択手段を備えていることを特徴とする。
【０００７】
この構成によれば、ユーザは、フォルダ作成手段に新たなフォルダを作成させるか否かをフォルダ作成選択手段によって自由に選択することができる。このため、ユーザが意図しない時期範囲で新たなフォルダが記憶手段に作成されなくなり、フォルダはユーザが希望する時期範囲で形成されるので、撮影した画像データの管理がし易くなる。
【０００８】
また、本発明は、フォルダ作成手段によって作成されるフォルダに記録される画像データに対して、フォルダ作成手段によって作成されたフォルダのフォルダ名を含むファイル名を付与するファイル名付与手段を備えたことを特徴とする。
【０００９】
この構成によれば、記録されるフォルダのフォルダ名を含んだファイル名が、ファイル名付与手段によって画像データに付与される。このため、記憶手段に記録した画像データをパーソナルコンピュータ等で整理を行う際に、ファイル名からどのフォルダに記録されていた画像データであるかを容易に識別することができるので、画像データを整理する作業性が向上する。
【００１０】
また、本発明は、
フォルダ作成手段によって作成されるフォルダにユーザが指定するフォルダ名を付与するフォルダ名付与手段と、
このフォルダ名付与手段によってフォルダ名が付与されたフォルダに記録される画像データに対して、フォルダ名付与手段によって付与されたフォルダ名を含むファイル名を付与するファイル名付与手段とを備えたことを特徴とする。
【００１１】
この構成によれば、フォルダ名付与手段により、フォルダ作成手段によって作成されるフォルダにユーザが指定するフォルダ名が付与され、そのフォルダに記録される画像データには、ファイル名付与手段により、ユーザが指定したフォルダ名を含んだファイル名が付与される。このため、フォルダ作成手段によって作成されるフォルダにユーザが識別しやすいフォルダ名が付与され、画像データのファイル名にそのフォルダ名を含ませることができる。従って、ユーザは、画像データのファイル名から、その画像データがどのようなものであるかを、容易に把握できる。この結果、画像データを整理する作業性はさらに向上する。
【発明の効果】
【００１２】
本発明による撮影装置によれば、上記のように、撮影した画像データを所定の時期範囲ごとにフォルダ分けして記録する際に、従来のように、ユーザがフォルダ切り換えメニュー画面を表示させ、その画面において画像データを記録する記録先のフォルダを設定するという設定作業を毎回行わずに済むので、撮影した画像データを所定の時期範囲ごとにフォルダ分けして記録する際の利便性が向上する。
【発明を実施するための最良の形態】
【００１３】
次に、本発明の最良の実施の形態による撮影装置をデジタルカメラに適用した場合について説明する。
【００１４】
図１は、この最良の実施の形態によるデジタルカメラの回路構成の概略を示すブロック図である。
【００１５】
ＣＰＵ(Central Processing Unit)１０は、不揮発性メモリであるフラッシュメモリ１１に格納されたファームウェアプログラムのうち、その時に必要になるものを一時記憶作業領域として機能するＳＤＲＡＭ(Synchronous Dynamic Random Access Memory)１２に書き込む。そして、このブートしたプログラムに基づいてデジタルカメラ内の各部の制御を行う。
【００１６】
撮像部１３はＣＣＤ(Charge Coupled Devices)センサを備えており、このＣＣＤセンサには、鏡筒部１６内に構成された撮影レンズを介して入射した光により、被写体像が投影される。撮像部１３は、被写体を撮像する撮像素子を構成している。図示しない撮影レンズはその表面がバリア１４で覆われて保護されており、撮影時には、ＣＰＵ１０によってモーター制御部１５が駆動制御されて、バリア１４が開く。また、鏡筒部１６内の撮影レンズは、ＣＰＵ１０によってモーター制御部１７が駆動されて移動制御される。この移動制御により、撮像部１３に投影される被写体像の焦点が自動的に調節される自動焦点調節(ＡＦ(Auto Focus))処理が行われる。また、絞り機構１９は、ＣＰＵ１０によってモーター制御部１８が駆動制御されて絞りモータが動くことで、その開口量が調節制御される。この調節制御により、撮像部１３に投影される被写体像の光量が自動的に調節される自動露出調節(ＡＥ(Auto Exposure))処理が行われる。
【００１７】
画像処理部２０は、ＣＰＵ１０の制御により、撮像部１３によって撮像される被写体像に対して所定の画像処理を行う画像処理手段を構成している。画像処理部２０は、具体的には、撮像部１３が出力した画像データに対して、被写体の照明の種類に応じて被写体の色を自動的に補正するオートホワイトバランス(ＡＷＢ(Auto White Balance))処理や、ガンマ補正等の画像補正、階調変換、色変換等の画像処理を施す。画像処理が行われた画像データはＳＤＲＡＭ１２に一時的に格納され、また、カメラボディに着脱されるメモリカード等の記録部２１に記録される。記録部２１は、撮像部１３によって撮影した画像の画像データを記録する記憶手段を構成している。
【００１８】
また、本実施形態のデジタルカメラは、第１のモードと第２のモードとを切換可能なモード設定手段（不図示）を備えている。第１のモードは、フォルダを作成する際に、ユーザがメニュー画面を操作して新たなフォルダを作成するモードである。第２のモードは、デジタルカメラの起動が所定の時期範囲内で最初の起動であるか否かを判断し、最初の起動である場合に、後述するＬＣＤ２５に所定の画面を表示させ、ユーザの選択に応じて新たなフォルダを作成可能なモードである。モードの切り換えは、ユーザがメニュー画面を操作することにより切り換えることができる。以下では、第２のモードが設定されている際の例について説明する。
【００１９】
ＣＰＵ１０は、レリーズボタン２２や電源スイッチ２３等を監視しており、ユーザが電源スイッチ２３を操作すると、デジタルカメラを起動する。また、ＣＰＵ１０は、デジタルカメラが起動されると、その起動が所定の時期範囲内、本実施形態では一日の範囲内で最初の起動であるか否かを判定する起動時期判定手段を備えている。また、ＣＰＵ１０は、起動時期判定手段によって起動が一日の範囲内で最初の起動であると判定されると、撮像部１３によって撮影した画像の画像データを記録する新たなフォルダを記録部２１に作成するフォルダ作成手段を備えていると共に、このフォルダ作成手段によって新たなフォルダが作成されると、画像データを新たなフォルダに記録させる記録制御手段を備えている。また、ＣＰＵ１０は、起動時期判定手段によって起動が一日の範囲内で最初の起動であると判定されると、フォルダ作成手段に新たなフォルダを作成させるか否かをユーザに選択させるフォルダ作成選択手段を備えており、また、フォルダ作成手段によって作成されるフォルダにユーザが指定するフォルダ名を付与するフォルダ名付与手段を備えている。また、ＣＰＵ１０は、このフォルダ名付与手段によってフォルダ名が付与されたフォルダに記録される画像データに対して、フォルダ名付与手段によって付与されたフォルダ名を含むファイル名を付与するファイル名付与手段を備えている。
【００２０】
記録部２１に記録された画像データは、動画像が撮影された場合には音声入出力部２４から出力される音声を伴って、ＬＣＤ２５(液晶ディスプレイ(Liquid Crystal Display))に表示される。このＬＣＤ２５は、撮像部１３によって撮像される被写体像を表示する画像表示手段を構成している。また、画像データおよび音声データはＵＳＢ Ｉ/Ｆ２６を介してパーソナルコンピュータ等に出力され、パーソナルコンピュータ等のハードディスクに保存できる。
【００２１】
次に、本実施形態によるデジタルカメラのＣＰＵ１０により実行される処理について、図２に示すフローチャートを参照して説明する。図２に示すフローチャートのプログラムは、例えばフラッシュメモリ１１に記録されている。
【００２２】
ＣＰＵ１０は、電源スイッチ２３がＯＮされて、デジタルカメラが起動されたか否かを判定する（図２，Ｓ１参照）。デジタルカメラが起動されてなく、この判定が“Ｎｏ”であった場合、ＣＰＵ１０は、デジタルカメラの内蔵時計を更新する処理などの通常処理（Ｓ２）を行い、Ｓ１へ戻る。一方、デジタルカメラが起動されて、Ｓ１の判定が“Ｙｅｓ”であった場合には、ＣＰＵ１０は、フラッシュメモリ１１にアクセスし、フラッシュメモリ１１に記録されている、前回電源スイッチ２３がＯＮされてデジタルカメラが起動された時の日付データを読み込む（Ｓ３）。続いて、ＣＰＵ１０は、内蔵時計を参照し、今回電源スイッチ２３がＯＮされてデジタルカメラが起動された時の日付データを、フラッシュメモリ１１に記録する（Ｓ４）。
【００２３】
次に、ＣＰＵ１０は、デジタルカメラが一日の範囲内で始めて起動されたか否かを判定する（Ｓ５）。この判定が“Ｙｅｓ”であった場合、ＣＰＵ１０は、新規フォルダを作成するか否かをユーザに選択させる画面をＬＣＤ２５に表示させる（Ｓ６）。ユーザが新規フォルダを作成することを希望し、マルチセレクターを操作してＬＣＤ２５の画面に表示されている“新規フォルダを作成する”項目を選択し、ＯＫボタンを押すと、Ｓ６の判定が“Ｙｅｓ”となる。この時、ＣＰＵ１０は、図３に示すように、記録フォルダ設定メニュー画面をＬＣＤ２５に表示させる（Ｓ７）。
【００２４】
この記録フォルダ設定メニュー画面において、ＣＰＵ１０は、ユーザによる新規フォルダに希望するフォルダ名の指定を受けつけて、フォルダの設定を行う（Ｓ８）。フォルダ名は、例えば３桁の数字からなるフォルダ番号で構成され、ユーザはこのフォルダ番号を指定することができる。ＬＣＤ２５の中央部分にはフォルダ番号が表示され、フォルダ番号はユーザがマルチセレクターを操作することにより指定される。ユーザは、マルチセレクターの左側または右側を押下することにより指定するフォルダ番号の桁を選択し、続いて、マルチセレクターの上側または下側を押下することにより各桁で指定する番号を選択して、１００〜９９９の範囲内でフォルダ番号を指定する。指定終了後、ユーザはＯＫボタンを押して指定番号を確定させる。例えば、ユーザが、３桁目の番号を「１」，２桁目の番号を「０」，１桁目の番号を「１」と指定して確定させると、フォルダ番号は、同図に示すように「１０１」となる。続いて、ＣＰＵ１０は、フォルダを作成する処理を行う（図２，Ｓ９参照）。このフォルダ作成処理では、ＣＰＵ１０は、記録部２１にフォルダを作成し、作成したフォルダに、ユーザが指定したフォルダ番号「１０１」に従ったフォルダ名「１０１」を付与する。なお、ここでは、フォルダ番号をユーザが指定する例を説明したが、文字列を入力することにより、例えば「ＵＳＡ」のようなフォルダ名とすることもできる。
【００２５】
次に、ＣＰＵ１０は、Ｓ９のフォルダの作成処理終了後、または、Ｓ５もしくはＳ６の判別が“Ｎｏ”であった場合、撮影処理を行う（Ｓ１０）。この撮影処理では、ユーザによってレリーズボタン２２が押されると、ＣＰＵ１０は、撮像部１３によって取得される被写体像を画像データとして作成する処理を行う。次に、ＣＰＵ１０は、作成した画像データに、保存先のフォルダ名「１０１」を含むファイル名１０１ｎｎｎｎ．ｘｘｘを付与し、その画像データをフォルダ名「１０１」のフォルダに保存する（Ｓ１１）。ここで、ｎｎｎｎには０００１〜９９９９の番号が撮影順にＣＰＵ１０によって付与され、ｘｘｘには画質に応じたＴＩＦやＪＰＧ等のフォーマット形式を示す拡張子が付与される。
【００２６】
次に、ＣＰＵ１０は、デジタルカメラの電源スイッチ２３がＯＦＦされたか否かを判別する（Ｓ１２）。この判別が“Ｎｏ”である場合には、Ｓ１０の処理に戻り、上述の処理を繰り返す。なお、この処理を繰り返している最中にユーザによって記録部２１が交換されると、ＣＰＵ１０は、交換された新たな記録部２１にフォルダを自動的に作成し、そのフォルダ名を交換前の記録部２１で用いられていた同じフォルダ名「１０１」とする。一方、Ｓ１２の判別が“Ｙｅｓ”であった場合には、ＣＰＵ１０は、電源ＯＦＦ時の所定の処理を行い、その後、デジタルカメラの各回路への電源供給を停止して、一連の処理を終了する。
【００２７】
上述したように、本実施形態によるデジタルカメラによれば、デジタルカメラが一日の範囲内で最初に起動されたと起動時期判定手段によって図２，Ｓ５で判定されると、フォルダ作成手段によって図２，Ｓ９で記録部２１に新たなフォルダが作成され、記録制御手段によって図２，Ｓ１１でこのフォルダに画像データが記録される。このため、撮影した画像データを日付けごとにフォルダ分けして記録する際には、従来のように、ユーザがフォルダ切り換えメニュー画面を表示させ、その画面において画像データを記録する記録先のフォルダを設定するという設定作業を毎回行わずに済む。この結果、撮影した画像データを日付けごとにフォルダ分けして記録する際の利便性が向上する。
【００２８】
また、本実施形態によるデジタルカメラによれば、図２，Ｓ６の処理により、ユーザは、フォルダ作成手段に新たなフォルダを作成させるか否かをフォルダ作成選択手段によって自由に選択することができる。このため、ユーザが意図しない日付けで新たなフォルダが記録部２１に作成されなくなり、フォルダはユーザが希望する日付けで形成されるので、撮影した画像データの管理がし易くなる。
【００２９】
また、本実施形態によるデジタルカメラによれば、フォルダ名付与手段により、フォルダ作成手段によって作成されるフォルダにユーザが指定するフォルダ名、例えば「ＵＳＡ」が付与され、そのフォルダに記録される画像データには、ファイル名付与手段により、ユーザが指定したフォルダ名を含んだファイル名、例えばＵＳＡｎｎｎｎ．ｘｘｘが付与される。このため、ユーザは、フォルダ作成手段によって作成されるフォルダにユーザが識別しやすいフォルダ名、例えば「ＵＳＡ」といった撮影場所の国名や「Ｋｅｎ」といった撮影者名などを示すフォルダ名を付与し、画像データのファイル名にそのフォルダ名を含ませることができる。従って、ユーザは、画像データのファイル名から、その画像データがどのようなものであるかを、容易に把握できる。この結果、画像データを整理する作業性が向上する。
【００３０】
また、本実施形態によるデジタルカメラによれば、電源スイッチ２３をＯＮにしてデジタルカメラを起動した日付けを判定し、その日において初めての起動の場合にのみ新たなフォルダを作成するので、デジタルカメラの起動中に日を跨いで日付けが変わると自動的にフォルダを作成するような構成と比べて、不要なフォルダが作成されずにすむ。
【００３１】
なお、上記実施形態では、所定の時期範囲を１日とする構成としたが、本発明はこれに限られることはない。例えば、１週間や１ヶ月、あるいは“３日”といった時期範囲をユーザが任意に選択できるようにしてもよい。
【００３２】
なお、上記実施形態において、第２のモードが設定されている場合でも、ユーザが新たなフォルダの作成を望む場合には、第１のモードが設定されている場合と同様にユーザがメニュー画面を操作することにより、新たなフォルダを作成することができる。
【００３３】
また、上記実施形態では、ファイル名付与手段が、ユーザが指定したフォルダ名を含むファイル名を付与するものとしたが、フォルダ作成手段によって作成されたフォルダに、ファイル名付与手段が自動的に付与するフォルダ名を含むファイル名を付与する構成としてもよい。この構成によっても、画像データが記録されるフォルダのフォルダ名を含んだファイル名が、ファイル名付与手段によって画像データに付与される。このため、記録部２１に記録した画像データをパーソナルコンピュータ等で整理を行う際に、ファイル名からどのフォルダに記録されていた画像データであるかを容易に識別することができるので、画像データを整理する作業性が向上する。
【００３４】
また、上記実施形態では、デジタルカメラが所定の時期範囲内で最初の起動時に、フォルダ設定メニュー画面をＬＣＤ２５に表示させ、ユーザにフォルダ名を指定させる構成とした。しかし、デジタルカメラが自動的にフォルダ名を付与する標準モードと、ユーザが任意のフォルダ名を上記実施形態のように指定できる指定モードとを備え、これらのいずれかのモードを初期セットアップメニュー画面でユーザが選択できるように構成してもよい。
【００３５】
また、上記実施形態では、記録部２１をデジタルカメラに着脱されるメモリカード等から構成される場合について説明したが、本発明はこれに限られることはない。例えば、デジタルカメラに内蔵されている内蔵メモリ、例えばフラッシュメモリ１１により、記録部２１を構成するようにしてもよい。
【産業上の利用可能性】
【００３６】
上記実施形態においては、本発明による撮影装置をデジタルカメラに適用した場合について説明したが、記憶手段に作成されたフォルダに画像データを記録させる記録制御手段を備えたデジタルビデオカメラや、カメラ付き携帯電話機などの種々の他の撮影装置に本発明を適用することも可能である。このような撮影装置に本発明を適用した場合においても、上記実施形態と同様の作用効果が奏される。
【図面の簡単な説明】
【００３７】
【図１】本発明の最良の実施の形態によるデジタルカメラの構成を示すブロック図である。
【図２】図１に示すデジタルカメラのＣＰＵによる画像データ保存処理を示したフローチャートである。
【図３】図２に示すフローチャートのフォルダ設定処理においてＬＣＤに表示される内容を示す図である。
【符号の説明】
【００３８】
１０…ＣＰＵ
１１…フラッシュメモリ
１３…撮像部
２１…記録部
２３…電源スイッチ
２５…ＬＣＤ
【図１】
2010021796.tif 000003
【図２】
2010021796.tif 000004
【図３】
2010021796.tif 000005